(57)【要約】      （修正有）【課題】簡便、安全、作業容易、かつ経済的な橋梁形成工事におけるプレキャスト床版の敷設装置を提供する。【解決手段】一対の横フレーム３と一対の縦フレーム２とで略長方形状に枠組みされた上部フレーム４と、該上部フレームの幅方向中間位置に長手方向に向かって取り付けられた吊り上げ旋回部材用支持部材５と、該吊り上げ旋回部材用支持部材に取り付けられ、上部フレームの長手方向に移動できて、かつ吊り上げた部材を旋回可能にして取り付けられた吊り上げ旋回部材と、前記長方形状に枠組みされた上部フレームの後方隅角部２箇所に設けられた一対の後方脚部と前記一対の横フレーム略中間部に設けられた複数個の前方脚部とを有し、前記前方脚部のうちの一つは、伸縮自在に構成されて脚部なしの状態とされるか、当初より脚部なしの状態とされ、前記前方脚部が前記吊り上げた部材の旋回時に障害とならない構成とされたことを特徴とする。【選択図】図１
2020133165.tif 000002
【特許請求の範囲】
【請求項１】
一対の横フレームと一対の縦フレームとで略長方形状に枠組みされた上部フレームと、該上部フレームの幅方向中間位置に長手方向に向かって取り付けられた吊り上げ旋回部材用支持部材と、該吊り上げ旋回部材用支持部材に取り付けられ、上部フレームの長手方向に移動できて、かつ吊り上げた部材を旋回可能にして取り付けられた吊り上げ旋回部材と、前記長方形状に枠組みされた上部フレームの後方隅角部２箇所に設けられた一対の後方脚部と前記一対の縦フレーム略中間部に設けられた複数個の前方脚部とを有し、
前記前方脚部のうちの一つは、伸縮自在に構成されて脚部なしの状態とされるか、当初より脚部なしの状態とされ、前記前方脚部が前記吊り上げた部材の旋回時に障害とならない構成とされた、
ことを特徴とするプレキャスト床版の敷設装置。
【請求項２】
前記上部フレームの長手方向一端部側には幅方向に移動可能にされた撤去用吊り上げ部材が取り付けられた、
ことを特徴とする請求項１記載のプレキャスト床版の敷設装置。
【請求項３】
一対の横フレームと一対の縦フレームとで略長方形状に枠組みされた上部フレームと、該上部フレームの幅方向中間位置に長手方向に向かって取り付けられた吊り上げ旋回部材用支持部材と、該吊り上げ旋回部材用支持部材に取り付けられ、上部フレームの長手方向に移動できて、かつ吊り上げた部材を旋回可能にして取り付けられた吊り上げ旋回部材と、前記長方形状に枠組みされた上部フレームの後方隅角部２箇所に設けられた一対の後方脚部と前記一対の縦フレーム略中間部に設けられた複数個の前方脚部と、前記上部フレームの前方隅角部２箇所に設けられた一対の先端サポート脚部を有し、
前記前方脚部のうちの一つは、伸縮自在に構成されて脚部なしの状態とされるか、当初より脚部なしの状態とされ、前記先端サポート脚部のうち一つは伸縮自在に構成されて脚部なしの状態とされ、前記前方脚部と先端サポート脚部とが前記吊り上げた部材の旋回時に障害とならない構成とされた、
ことを特徴とするプレキャスト床版の敷設装置。
【発明の詳細な説明】
【技術分野】
【０００１】
本発明は、例えば、橋脚あるいは橋台の上に架設された主桁上にプレキャスト床版を架設して敷設し、あるいは既設のプレキャスト床版を剥がした後、それを吊り上げて運搬する際にも用いられるプレキャスト床版など床版の敷設装置に関するものである。
【背景技術】
【０００２】
従来、プレキャスト床版の敷設装置は、例えば、支持脚部と、その上部から水平に張り出す支持梁とを設けて敷設装置の本体を形成し、前記水平に張り出した支持梁に吊り上げ旋回部材を取り付け、この吊り上げ旋回部材で新設すべきプレキャスト床版を吊り上げ、吊り上げたプレキャスト床版を橋梁の長手方向に向かって運搬し、そこから１８０度回転させて前記プレキャスト床版を橋梁上に敷設していた。
【先行技術文献】
【非特許文献】
【０００３】
【非特許文献１】社団法人プレストレスコンクリート建設業協会著「ＰＣ道路橋計画マニュアル」 平成元年１１月
【発明の概要】
【発明が解決しようとする課題】
【０００４】
ところで、従来、プレキャスト床版の新設工事においては、両端の作業スペースが比較的広くとることができたが、プレキャスト床版の架け替え工事の場合には反対車線が接近している状況もあり、プレキャスト床版の架け替え工事が対向車線の通行に影響を与えかねない状況があった。
【０００５】
また、プレキャスト床版の供給を後方から運搬車両に乗せて橋軸方向からの荷取りする４脚式の敷設装置は９０°回転させて回すために前方に旋回するためのスペースを確保する必要があり、プレキャスト床版がさほど広くない場合は対応できるがプレキャスト床版が広幅員の場合は、吊り点が遠くなり、もって敷設装置の構造を過大としなければならず作業性が悪く不経済であるとの課題があった。
【０００６】
かくして、本件発明は、前記の事情に鑑みて創案されたもので、簡便、安全、作業容易、かつ経済的な橋梁形成工事におけるプレキャスト床版の敷設装置を提供することを目的とするものである。
【０００７】
また、プレキャスト床版の敷設装置の用途を幅広く対応すべく改良した装置ともいえるものでもある。
【０００８】
すなわち、本発明は前記の課題を解決すべくプレキャスト床版の供給方向は門型の構造としつつも、その反対は水平に張り出す支持梁状にしてプレキャスト床版を送出しやすくしてあり、しかも送出側の門形構造については一次的にほぼ３脚状態で支持する構造にしたことでプレキャスト床版の旋回位置を前方脚の少し前方で回すことが出来る様にし、敷設装置の全体構造をコンパクトにすることとし、あわせて回転が終了して施工位置に移動させるときは反対側の脚を伸ばしほぼ４脚状態支持として支持反力の分散化を図り、支持部の過大荷重の影響を少なくすることを考慮したものである。
【０００９】
要はプレキャスト床版旋回時に一時的に１脚を縮めて旋回の邪魔をなくし、もって、旋回作業をしやすくしてなり、旋回後は、前記一時的に縮めた１脚を伸ばして前方脚として支持させることで、比較的幅広のプレキャスト床版であってもその敷設作業を可能にした。
【００１０】
さらには、旧橋におけるプレキャスト床版の撤去の場合に、該プレキャスト床版を切断し、分割して撤去するため、前方に別の撤去用吊り上げ部材を設け、該撤去用吊り上げ部材を敷設装置の幅方向に移動可能に構成し、小割にした既設のプレキャスト床版を取り込んで吊り上げ、敷設装置の幅方向中央に移動した後、仮置きし、その後、敷設装置に取り付けてある吊り上げ旋回部材で再度吊り替え、その後、敷設装置の後方に移動し、本発明の敷設装置をもって撤去桁の取り外し作業をも可能することも本発明の特徴となっている。
【課題を解決するための手段】
【００１１】
本発明によるプレキャスト床版の敷設装置は、
一対の横フレームと一対の縦フレームとで略長方形状に枠組みされた上部フレームと、該上部フレームの幅方向中間位置に長手方向に向かって取り付けられた吊り上げ旋回部材用支持部材と、該吊り上げ旋回部材用支持部材に取り付けられ、上部フレームの長手方向に移動できて、かつ吊り上げた部材を旋回可能にして取り付けられた吊り上げ旋回部材と、前記長方形状に枠組みされた上部フレームの後方隅角部２箇所に設けられた一対の後方脚部と前記一対の横フレーム略中間部に設けられた複数個の前方脚部とを有し、
前記前方脚部のうちの一つは、伸縮自在に構成されて脚部なしの状態とされるか、当初より脚部なしの状態とされ、前記前方脚部が前記吊り上げた部材の旋回時に障害とならない構成とされた、
ことを特徴とし、
または、
前記上部フレームの長手方向一端部側には幅方向に移動可能にされた撤去用吊り上げ部材が取り付けられた、  
ことを特徴とし、
または、
一対の横フレームと一対の縦フレームとで略長方形状に枠組みされた上部フレームと、該上部フレームの幅方向中間位置に長手方向に向かって取り付けられた吊り上げ旋回部材用支持部材と、該吊り上げ旋回部材用支持部材に取り付けられ、上部フレームの長手方向に移動できて、かつ吊り上げた部材を旋回可能にして取り付けられた吊り上げ旋回部材と、前記長方形状に枠組みされた上部フレームの後方隅角部２箇所に設けられた一対の後方脚部と前記一対の横フレーム略中間部に設けられた複数個の前方脚部と、前記上部フレームの前方隅角部２箇所に設けられた一対の先端サポート脚部を有し、
前記前方脚部のうちの一つは、伸縮自在に構成されて脚部なしの状態とされるか、当初より脚部なしの状態とされ、前記先端サポート脚部のうち一つは伸縮自在に構成されて脚部なしの状態とされ、前記前方脚部と先端サポート脚部とが前記吊り上げた部材の旋回時に障害とならない構成とされた、
ことを特徴とするものである。
【発明の効果】
【００１２】
本発明によるプレキャスト床版の敷設装置であれば、
簡便、安全、作業容易、かつ経済的な橋梁形成工事におけるプレキャスト床版の敷設装置を提供できる。
【００１３】
また、プレキャスト床版の敷設装置の用途を幅広く対応すべく改良した装置をも提供できる。
【００１４】
すなわち、プレキャスト床版の供給方向は門型の構造としつつも、その反対は水平に張り出す支持梁状にしてプレキャスト床版を送出しやすくし、しかも送出側の門形構造については一次的にほぼ３脚状態で支持する構造にしたことでプレキャスト床版の旋回位置を前方脚の少し前方で回すことが出来る様にし、もって敷設装置の全体構造をコンパクトにすることも出来、あわせて回転が終了して施工位置に移動させるときは反対側の脚を伸ばしほぼ４脚支持状態として支持反力の分散化が図れ、支持部の過大荷重の影響を少なくすることを考慮できる。
【００１５】
要はプレキャスト床版旋回時に一時的に１脚を縮めて旋回の邪魔をなくし、もって、旋回作業をしやすくしてなり、旋回後は、前記一時的に縮めた１脚を伸ばして前方脚として支持させることで、比較的幅広のプレキャスト床版であってもその敷設作業を可能にしてある。
【００１６】
さらには、旧橋におけるプレキャスト床版の撤去の場合に、該プレキャスト床版を分割して撤去するため、前方に別の撤去用吊り上げ部材を取り付け、該撤去用吊り上げ部材を敷設装置の幅方向に移動可能に構成し、小割にした既設のプレキャスト床版を取り込んで吊り上げ、敷設装置の幅方向中央に移動後に仮置きし、その後、敷設装置に取り付けてある吊り上げ旋回部材で再度吊り替え、さらに、敷設装置の後方に移動して、本発明の敷設装置によっても撤去桁の取り外し作業を可能することもできる等優れた効果を奏する。
【発明を実施するための形態】
【００１７】
以下、本発明によるプレキャスト床版の敷設装置につき図に示す実施例によって説明する。
【００１８】
該プレキャスト床版の敷設装置１は、図１に示すように、一対の縦フレーム２と一対の横フレーム３とで水平方向に向きを配置した略長方形状に枠組みされた上部フレーム４を有している。
【００１９】
そして、上部フレーム４の幅方向中間位置には、上部フレーム４の長手方向に向かって延出させてある吊り上げ旋回部材用支持部材５が取り付けられている。
【００２０】
なお、この吊り上げ旋回部材用支持部材５の一端側、すなわち後方側にはカウンターウエイト１１が取り付けられる。このカウンターウエイト１１を取り付けてあることにより、敷設装置１の荷重が前方側に偏ることがなく、敷設作業中に該敷設装置１が前方側に倒れることがない。
【００２１】
そして、吊り上げ旋回部材用支持部材５には、吊り上げ旋回部材６（図２参照）が吊り上げ旋回部材用支持部材５の長手方向に向かって移動可能にして取り付けられている。
【００２２】
すなわち、前記吊り上げ旋回部材６は、吊り上げる部材、例えば新設のプレキャスト床版１２を前記上部フレーム４の長手方向、すなわち後方側に移動させることができ、かつ移動させた後は、旋回位置１３で水平方向に前記吊り上げてあるプレキャスト床版１２の旋回動作を行う様構成されている。
【００２３】
ところで、図１において、上部フレーム４の左側に位置する２箇所の隅角部下部には、後方脚部設置部８ａ、８ｂが設けられており、この後方脚部設置部８ａ、８ｂには、該後方脚部設置部８ａ、８ｂから垂下する後方脚部７ａ、７ｂが各々取り付けられている。図２は本発明の側面図であり、この図２において、符号７ｂによって該後方脚部を示しておく。
【００２４】
また、上部フレーム４の長手方向略中間位置の幅方向に向かっての３つの箇所には各々前方脚部設置部９ａ、９ｂ、９ｃが設けられている。そして、これら前方脚部設置部９ａ、９ｂ、９ｃからは、垂直方向に向かって垂下された前方脚部１０ａ、１０ｂ、１０ｃが各々取り付けられている。図２及び図３において、符号１０ａ、１０ｂ、１０ｃによって該前方脚部を示しておく。
【００２５】
なお、図１において３つの前方脚部設置部９ａ、９ｂ、９ｃのうち、図に向かって一番左側の前方脚部設置部９ａから垂下して設けられた前方脚部１０ａは、図３に示すように伸縮自在に揺動するよう構成されており、この前方脚部１０ａを縮ませる操作を行うことにより、この箇所の前方脚部１０ａを取り除ける様構成されている。
【００２６】
以上において、本発明の動作につき説明する。
図２において、吊り上げ旋回部材６は例えば、新設用のプレキャスト床版１２を吊り上げて、図１に示す旋回位置１３まで移動する。この際、前記新設用のプレキャスト床版１２は、本発明の敷設装置１の長手方向と新設用のプレキャスト床版１２の長手方向が平行状態になるようにして吊り上げてあり、そして旋回位置１３側へ移動させることとなる。
【００２７】
そして、旋回位置１３で吊り上げてあるプレキャスト床版１２を時計廻り方向へ例えば９０°旋回させる。この際、伸縮自在に構成してある前述した上部フレーム４の一番左側に設けられた前方脚部１０ａが例えば上方に縮んでなくなり、前記旋回動作の際に旋回するプレキャスト床版１２が前方脚部１０ａに衝突することがない。
【００２８】
また、前記旋回作業を行っているとき、敷設装置１を支持すべき後方脚部及び前方脚部は、２本の後方脚部７ａ、７ｂと接近して設けられた２本の前方脚部１０ｂ、１０ｃである。
【００２９】
図１及び図３から理解されるように、２本の前方脚部１０ｂ、１０ｃ間の距離は極めて短く、また、図１から見て、右側に寄って立設されているが、旋回位置１３で新設用のプレキャスト床版１２を吊り上げて旋回作業を行っても、充分に敷設装置１を支持し、保持できる構造になっている。
【００３０】
そして、図１の破線で示すように、新設用のプレキャスト床版１２が旋回してこの敷設装置１の長手方向と９０°の角度になったとき、前記伸縮可能な構成とされている前方脚部１０ａを伸ばし、本発明の敷設装置１を２つの後方脚部７ａ、７ｂと３つの前方脚部１０ａ、１０ｂ、１０ｃとで５点支持構造となり、極めて安定性のある支持状態となる。
【００３１】
その後、橋梁の床面に前記新設用のプレキャスト床版１２を降ろして敷設し、次に最初の位置、すなわち新設用のプレキャスト床版１２を吊り上げた位置まで前記吊り上げ旋回部材６を戻しておく。
【００３２】
その後の作業については、次に敷設すべき新設用のプレキャスト床版１２を吊り上げて先ほどの操作と同じ操作をして順次プレキャスト床版１２を敷設することになる。
【００３３】
ところで、本発明の敷設装置１は、橋梁に敷設されてある既設のプレキャスト床版１２を剥がして吊り上げ、撤去する際にも使用することができる。
【００３４】
図２に示す符号１４は、撤去用吊り上げ部材であり、前述した吊り上げ旋回部材用支持部材５の最前方側に、簡単な操作で取り付け、取り外しできるものとされており、撤去の際にはこの撤去用吊り上げ部材１４が取り付けられる。
【００３５】
さらに、この撤去用吊り上げ部材１４は、吊り上げ旋回部材用支持部材５の最前方側において、該吊り上げ旋回部材用支持部材５の幅方向に向かい移動できるよう取り付けられる。
【００３６】
ここで、本発明による敷設装置１を使用しての既設のプレキャスト床版１２の撤去作業につき説明する。
【００３７】
図1、図２、図５に示すように、本発明の敷設装置1、すなわち上部フレーム４の最前方側に撤去用吊り上げ部材１４が取り付けられている。この撤去用吊り上げ部材１４は前述したように上部フレーム４の幅方向、すなわち横フレーム３の長手方向に移動可能とされている。よって例えば、あらかじめ切断されて小割にされた既設のプレキャスト床版１２を吊り上げるべく、その小割にされたプレキャスト床版１２の中央位置まで横フレーム３の長手方向に向かって移動させる。その後、小割したプレキャスト床版１２を吊り上げて吊り上げ旋回部材６が設置されている幅方向の位置まで横フレーム３の長手方向に向かって移動させ、そこで一旦プレキャスト床版１２を降ろす。
【００３８】
降ろされたプレキャスト床版１２は、その位置から吊り上げ旋回部材６が配置してある前方側の位置まで上部フレーム４の長手方向へ移動される。
そして、移動された既設のプレキャスト床版１２は吊り上げ旋回部材６に吊り替えされる。
【００３９】
既設のプレキャスト床版１２を吊り上げてある吊り上げ旋回部材６は旋回位置１３まで移動し、この位置で旋回を行う。前記旋回は時計廻りと反対の方向へ９０°旋回する。
【００４０】
この旋回の際、図１で示す一番上の伸縮可能な前方脚部１０ａが邪魔になる。よって、この伸縮可能な前方脚部１０ａを縮めて退出させ、旋回の障害を取り除く。
その後、吊り上げてあるプレキャスト床版１２を敷設装置１の長手方向と平行位置にて吊り上げ移動を行う。
この吊り上げ移動は、後方脚部７ａ、７ｂの設置位置までおこなわれ、その位置の近傍で例えば運搬車両などに積み替えられる。
【００４１】
次に、また、同じ撤去作業をおこなって、既設のプレキャスト床版１２の撤去が行われる。すなわち、あらかじめ切断されて小割にされた既設のプレキャスト床版１２を撤去用吊り上げ部材１４で吊り上げるべく、その小割にされたプレキャスト床版１２の中央位置まで移動させる。その後、小割したプレキャスト床版１２を吊り上げて吊り上げ旋回部材６が設置されている位置まで移動し、そこで一旦プレキャスト床版１２を降ろす。
【００４２】
降ろされたプレキャスト床版１２はその位置から吊り上げ旋回部材６が配置してある前方側の位置まで移動させる。
そして、移動させた既設のプレキャスト床版１２は吊り上げ旋回部材６に吊り替えをする。
既設のプレキャスト床版１２を吊り上げてある吊り上げ旋回部材６は旋回位置１３まで移動し、この位置で旋回を行う。前記旋回は時計廻りと反対の方向へ９０°旋回させる。
【００４３】
この旋回の際、図１で示す一番上の伸縮可能な前方脚部１０ａがぶつかることになり邪魔になる。よって、この伸縮可能な前方脚部１０ａを縮めて退出させ、旋回の障害を取り除く。
【００４４】
その後、吊り上げてあるプレキャスト床版１２を敷設装置１の長手方向と平行位置にして吊り上げ移動を行う。
この吊り上げ移動は、後方脚部７ａ、７ｂの設置位置までおこなわれ、その位置で例えば運搬車両などに積み替えられる。
この撤去作業が順次繰り返えされて既設のプレキャスト床版１２の撤去作業は終了する。
【００４５】
しかして、前記の様に本発明の敷設装置１であれば、新設のプレキャスト床版１２の敷設作業のみならず、交換すべき既設のプレキャスト床版１２を橋梁面から剥がし、それを吊り上げて撤去する作業にも使用することができる。
【００４６】
図６に本発明の他の実施例を示す。
図６から理解されるように、上部フレーム４の最先端に設けられている横フレーム３の長手方向両端部には、それぞれ先端サポート脚部設置位置１５が設けられており、該先端サポート脚部設置位置１５からは先端サポート脚部１６ａ、１６ｂが垂下して設けられている。そして先端サポート脚部１６ｂについては、前述した前方脚部１０ａと同様に、伸縮自在な脚として構成されている。
【００４７】
図６に示す実施例は、特に本発明の敷設装置１が大型化し、長尺化したとき有効な実施例となる。すなわち、敷設装置１が長尺化したとき、その最先端箇所にある横フレーム３の長手方向両端箇所から垂下する先端サポート脚１６ａ、１６ｂを設けておけば、きわめて安定化した本発明における敷設装置１の支持機構を提供できるものとなる。
【００４８】
ここで、図６の実施例において、本発明による敷設装置１を使用して新設のプレキャスト床版１２を敷設する場合につき説明する。
【００４９】
吊り上げ旋回部材６は例えば、新設用のプレキャスト床版１２を吊り上げて、図１に示す旋回位置１３まで移動する。この際、前記新設用のプレキャスト床版１２は、本発明の敷設装置１の長手方向と新設用のプレキャスト床版１２の長手方向が平行状態になるようにして吊り上げてあり、そして旋回位置１３側へ移動させることとなる。
【００５０】
そして、旋回位置１３で吊り上げてあるプレキャスト床版１２を時計廻り方向へ例えば９０°旋回させる。この際、伸縮自在に構成してある前述した上部フレーム４の一番左側に設けられた前方脚部１０ａが例えば上方に縮んでなくなり、前記旋回動作の際に旋回するプレキャスト床版１２が前方脚部１０ａに衝突することがない。
【００５１】
なお、最初から前方脚部１０aを設けておかなくともかまわない。前述した様に本実施例においては、先端サポート脚部１６ａ、１６ｂを設けたからである。従って、前方脚部１０ａが配置されていないときは、この前方脚部１０ａを縮める必要がない。
【００５２】
ただ、図６の実施例においては、旋回に際して、先端サポート脚部１６ｂが旋回するプレキャスト床版１２に当接してしまう。よって、先端サポート脚部１６ｂを縮めることにより旋回するプレキャスト床版１２が先端サポート脚部１６ｂに衝突することがない様にしてあるのである。
【００５３】
ここで、前記旋回作業を行っているとき、敷設装置１を支持すべき後方脚部、前方脚部及び先端サポート脚部は、２本の後方脚部７ａ、７ｂ、接近して設けられた２本の前方脚部１０ｂ、１０ｃ及び先端サポート脚部１６ａということになる。
【００５４】
そして、図１の破線で示すように、新設用のプレキャスト床版１２が旋回してこの敷設装置１の長手方向と９０°の角度になった段階で、前記伸縮可能な構成とされている前方脚部１０ａ及び先端サポート脚部１６ｂを各々伸ばし、本発明の敷設装置１を２つの後方脚部７ａ、７ｂと３つの前方脚部１０ａ、１０ｂ、１０ｃ及び先端サポート脚部１６ａ、１６ｂとで７点支持構造となり、極めて安定性の高い支持状態となる。
【００５５】
その後、橋梁の床面に前記新設用のプレキャスト床版１２を降ろして敷設し、次に最初の位置、すなわち新設のプレキャスト床版１２を吊り上げた位置まで前記吊り上げ旋回部材６を戻しておく。
【００５６】
その後の作業については、次に敷設すべき新設用プレキャスト床版１２を吊り上げて先ほどの操作と同じ操作をして順次プレキャスト床版１２を敷設することになる。
【００５７】
ところで、本実施例においても、本発明の敷設装置１は、橋梁に敷設されてある既設のプレキャスト床版１２を剥がして吊り上げ、撤去する際にも使用することができる。
【００５８】
本実施例による敷設装置１を使用しての既設のプレキャスト床版１２の撤去作業につき説明する。
【００５９】
図1、図５、図６に示すように、本実施例の敷設装置1、すなわち上部フレーム４の最前方側の横フレーム３にも、撤去用吊り上げ部材１４が取り付けられている。この撤去用吊り上げ部材１４は前述したように上部フレーム４の幅方向、すなわち横フレーム３の長手方向に移動可能とされている。よって例えば、あらかじめ切断されて小割にされた既設のプレキャスト床版１２を吊り上げるべく、その小割にされたプレキャスト床版１２の中央位置まで横フレーム３の長手方向に向かって移動させる。その後、小割したプレキャスト床版１２を吊り上げて吊り上げ旋回部材６が設置されている幅方向の位置まで横フレーム３の長手方向に向かって移動させ、そこで一旦プレキャスト床版１２を降ろす。
【００６０】
降ろされたプレキャスト床版１２はその位置から吊り上げ旋回部材６が配置してある前方側の位置まで上部フレーム４の横方向へ移動される。
そして、移動された既設のプレキャスト床版１２は吊り上げ旋回部材６に吊り替えされる。
既設のプレキャスト床版１２を吊り上げてある吊り上げ旋回部材６は旋回位置１３まで移動し、この位置で旋回を行う。前記旋回は時計廻りと反対の方向へ９０°旋回する。
【００６１】
この旋回の際、図１で示す図に向かって一番左側の伸縮可能な前方脚部１０ａが邪魔になる。よって、この伸縮可能な前方脚部１０ａを縮めて退出させ、旋回の障害を取り除く。
【００６２】
また、旋回に際して、先端サポート脚部１６ｂが旋回するプレキャスト床版１２に当接してしまう。よって、先端サポート脚部１６ｂを縮めることにより旋回するプレキャスト床版１２が先端サポート脚部１６ｂに衝突することがない様に構成してある。
【００６３】
その後、吊り上げてあるプレキャスト床版１２を敷設装置１の長手方向と平行位置にて吊り上げ移動を行う。
この吊り上げ移動は、後方脚部７ａ、７ｂの設置位置までおこなわれ、その位置の近傍で例えば運搬車両などに積み替えられる。
【００６４】
次に、また、同じ撤去作業をおこなって、既設のプレキャスト床版１２の撤去が行われる。すなわち、あらかじめ切断されて小割にされた既設のプレキャスト床版１２を撤去用吊り上げ部材１４で吊り上げるべく、その小割にされたプレキャスト床版１２の中央位置まで移動させる。その後、小割したプレキャスト床版１２を吊り上げて吊り上げ旋回部材６が設置されている位置まで移動し、そこで一旦プレキャスト床版１２を降ろす。
【００６５】
降ろされたプレキャスト床版１２はその位置から吊り上げ旋回部材６が配置してある前方側の位置まで移動させる。
そして、移動させた既設のプレキャスト床版１２は吊り上げ旋回部材６に吊り替えをする。
既設のプレキャスト床版１２を吊り上げてある吊り上げ旋回部材６は旋回位置１３まで移動し、この位置で旋回を行う。前記旋回は時計廻りと反対の方向へ９０°旋回させる。
【００６６】
この旋回の際、図１で示す図に向かって一番左側の伸縮可能な前方脚部１０ａがぶつかることになり邪魔になる。よって、この伸縮可能な前方脚部１０ａを縮めて退出させ、旋回の障害を取り除く。
【００６７】
その後、吊り上げてあるプレキャスト床版１２を敷設装置１の長手方向と平行位置にして吊り上げ移動を行う。
この吊り上げ移動は、後方脚部７ａ、７ｂの設置位置までおこなわれ、その位置で例えば運搬車両などに積み替えられる。
この撤去作業が順次繰り返えされて既設のプレキャスト床版１２の撤去作業は終了する。
【００６８】
しかして、前記の様に本実施例の敷設装置１においても、新設のプレキャスト床版１２の敷設作業のみならず、使用期限の過ぎた既設のプレキャスト床版１２を橋梁面から剥がし、それを吊り上げて撤去する作業にも使用することができる。しかも敷設装置１の安定性を大幅に向上させることができた。
【図面の簡単な説明】
【００６９】
【図１】本発明による敷設装置の構成を説明する構成説明図（その１）である。
【図２】本発明による敷設装置の構成を説明する構成説明図（その２）である。
【図３】本発明による敷設装置の構成を説明する構成説明図（その３）である。
【図４】本発明による敷設装置の構成を説明する構成説明図（その４）である。
【図５】本発明による敷設装置の構成を説明する構成説明図（その５）である。
【図６】他の実施例による敷設装置の構成を説明する構成説明図である。
【符号の説明】
【００７０】
１  敷設装置
２  縦フレーム
３  横フレーム
４  上部フレーム
５  吊り上げ旋回部材支持部材
６  吊り上げ旋回部材
７ａ、７ｂ  後方脚部
８ａ、８ｂ  後方脚部設置位置
９ａ、９ｂ、９ｃ  前方脚部設置位置
１０ａ、１０ｂ、１０ｃ  前方脚部
１１  カウンターウエイト
１２  プレキャスト床版
１３  旋回位置
１４  撤去用吊り上げ部材
１５ａ、１５ｂ  先端サポート脚部設置位置
１６ａ、１６ｂ  先端サポート脚部
【図１】
2020133165.tif 000003
【図２】
2020133165.tif 000004
【図３】
2020133165.tif 000005
【図４】
2020133165.tif 000006
【図５】
2020133165.tif 000007
【図６】
2020133165.tif 000008